(57)【要約】【課題】複数の異なる幅の紙片からなる長尺状シートの連続折り込みに際して、折り癖の付きにくい幅狭の紙片も効果的に折り込むことが可能な長尺状シートの折り込みにおける折り返し補助機構を提供する。【解決手段】給紙ローラ１１の上流に配置されている一対のサポートローラ１３ａ、１３ｂのさらに上流にバックアップガイドＧを配置する。【選択図】図３
2015020904.tif 000002
【特許請求の範囲】
【請求項１】
折り込み装置により長尺状シートを折り畳みながら下流の加工装置へ給紙ローラにより送り出す際の折り返し補助機構であり、前記給紙ローラの下方から一対のサポートローラを通過して折り込まれながら連続供給される長尺状シートの表出する一方の面に、前記一対のサポートローラの下方において接触しながら前記長尺状シートの折り込みを補助するバックアップガイドからなることを特徴とした長尺状シートの折り込みにおける折り返し補助機構。
【請求項２】
バックアップガイドが板状であることを特徴とした請求項１に記載の長尺状シートの折り込みにおける折り返し補助機構。
【請求項３】
バックアップガイドが回転体であることを特徴とした請求項１に記載の長尺状シートの折り込みにおける折り返し補助機構。
【請求項４】
バックアップガイドが板状と回転体の併用であることを特徴とした請求項１に記載の長尺状シートの折り込みにおける折り返し補助機構。
【発明の詳細な説明】
【技術分野】
【０００１】  本発明は長尺状シートを折り込みながら連続加工する装置において、折り込み作業を円滑に実行できるようにする補助機構である。詳しくは、長尺状シートを使用した連続帳票や折り畳み葉書等の郵便物を、流れ方向の折り線に沿って連続的に折り込み重ね合わせながら封緘等の加工をする装置において、前記流れ方向の折り線に沿って連続的に二つ折りや三つ折りに折り込む動作を円滑ならしめる機構に関する。
【背景技術】
【０００２】  従来、長尺状シートを使用した連続帳票や折り畳み葉書、封書等の郵便物は、印刷や印字を終えた長尺状シートを連続的に折り込み封緘する作業により仕上げられる。そして前記折り込みには例えば特開２００６−４４８８３号公報のシート折り込み装置等が使用されている【０００３】  前記シートの折り込み装置は、連続シートに一側面側から圧接して縦方向に沿う凹条を形成するシート押込み部材を、連続シートの送給方向と直交する軸心をもつ支軸と、この支軸に回転自在に支持され、その厚さ方向中央部の輪郭が大径円且つ厚さ方向両端側の輪郭が次第に小径円となる傾斜した凸状周縁を有する押込みローラとを有する構成とし、この押込みローラによって回転と同時に連続シートに折曲げ力を付与するようにしたもので、そのような構成により、封緘はがき等の製造に係る連続シートの折り曲げを容易に、且つ円滑に行えるようにするものである。【０００４】  なお、前記シートの折り込み装置は、「アングル」や「くせ折り機」等と称し、長尺状シートの加工現場で今日通常に使用されているものである。そしてそのような折り込み装置は、例えば特開平９−２７２６６０号公報の連続用紙処理装置や、特開２００２−２９１８３号公報の連続用紙の圧着裂断システム等の各種長尺状シートの処理システムの最上流に配置され、長尺状シートを折り込みながら下流の工程へ送り出している。
【先行技術文献】
【０００５】
【特許文献１】特開２００６−４４８８３号公報
【特許文献２】特開平９−２７２６６０号公報
【特許文献３】特開２００２−２９１８３号公報
【発明の概要】
【発明が解決しようとする課題】
【０００６】  例えば図７に示すように、前記工程の最上流に配置され、折り込み装置Ｘで折り込まれながら下流の上方に配置された給紙ローラ１１に一旦引き上げられた長尺状シートＳは、その後ピントラクタ１２等の搬送システムにより下流の各種加工装置を通過して各種製品に仕上げられるのであるが、長尺状シートの折り合わされる紙片がほぼ同じ幅の折り込みであれば問題がないところ、図１に示すような異なる幅の紙片の折り込みの場合、図７に示す給紙ローラ１１で各紙片が絞り込まれ折り畳まれて方向をほぼ水平に変える際に、或いは前記給紙ローラ１１の上流に配置されている一対のサポートローラ１３ａ、１３ｂ間を絞り込まれて通過する際に、折り込みに対して幅が狭い紙片が表出しているとその幅が狭い紙片に強い反発力が働き開いてしまい、前記サポートローラ１３ａ、１３ｂ間を通過できずにジャミングを起こしたり、或いは給紙ローラ１１部分で完全に各紙片を折り畳むことができず、幅の狭い紙片が開いた状態で下流の工程へ送り出されてしまう等の事故が発生する。前記傾向は、特に長尺状シートがフィルムシートに被覆ラミネートされている場合に、被覆されたフィルムシートの弾性力が加わりより多く発生する。【０００７】  本発明は、上記問題に鑑み、折り込み装置で折り込んだ長尺状シートを、下流の加工装置の給紙部へ送り込む際に、異なる幅の折り込みの場合、特に折り畳みに際して幅が狭い紙片が表出する場合にも対応が可能な長尺状シートの折り込みにおける折り返し補助機構を提供するものである。
【課題を解決するための手段】
【０００８】  上記目的を達成するために、本発明の長尺状シートの折り込みにおける折り返し補助機構は、折り込み装置により長尺状シートを折り畳みながら下流の加工装置へ給紙ローラにより送り出す際の折り返し補助機構であり、前記給紙ローラの下方から一対のサポートローラを通過して折り込まれながら連続供給される長尺状シートの表出する一方の面に、前記一対のサポートローラの下方において接触しながら前記長尺状シートの折り込みを補助するバックアップガイドからなることを特徴としている。【０００９】  なお、前記バックアップガイドの長尺状シートの表出面との接触部分は、広域に渡りお互いが接触するように平面状であっても、或いは単数や複数の回転可能なローラにより構成されていても構わない。平面状等の形状で長尺状シートとの接触部分が多い場合、長尺状シートの搬送の抵抗を軽減するために、表面にフッ素加工等の滑り加工が施されていても構わず、逆に、例えば複数の横方向の溝を形成する等して搬送の抵抗を増やしても構わない。
【発明の効果】
【００１０】  連続用紙の折り畳みの構成には例えば二つ折りや三つ折り（Ｚ折り）等があるが、本発明は折り返し紙片の幅が他の紙片の幅と異なるために、折り込みに対する紙片同士の反発力が強く、折り畳み後に紙片同士が強く開く傾向にある場合に、折り込みから折り畳んだ長尺状シートを下流の工程へ送り出すサポートローラまでの間で紙片が開きジャミング等の支障の発生を効果的に抑制する。
【図面の簡単な説明】
【００１１】
【図１】（Ａ）及び（Ｂ）は実施例で使用する長尺状シートＳの表面図及び裏面図である。
【図２】（Ａ）は折り込み装置Ｘからサポートローラ１１までの間で折り畳まれる長尺状シートＳの折り畳まれた状態を示す平面図である。（Ｂ）は前記（Ａ）におけるＩ−Ｉ線断面図である。
【図３】本発明の一実施例で、プレート状のバックアップガイドＧを使用した場合の要部概略図である。
【図４】図３におけるプレート状のバックアップガイドＧの斜視図である。
【図５】図４と異なる構成のバックアップガイドＧの要部概略図である。
【図６】（Ａ）及び（Ｂ）は本加工工程で完成する郵便葉書の表面図及び裏面図である。（Ｃ）は前記（Ａ）におけるＩＩ−ＩＩ線断面図である。
【図７】本発明が適用される加工工程の給紙部分を示す要部概略図である。
【図８】本発明が適用される加工工程の給紙部分を図７よりさらに拡大して示した要部概略図である。
【図９】図８の要部概略図をわかりやすく説明する斜視図である。
【発明を実施するための形態】
【００１２】  以下、本発明の実施の形態を、三つ折り圧着葉書を例に、図面に基づいて具体的に説明する。
図１に示すように、本実施例で使用する長尺状シートＳは、第一紙片１、第二紙片２及び第三紙片３が折り用のミシン目４及び５を介して横方向に連接した単位シートｔが、天地方向の切り取り用のミシン目６を介して縦方向に連接されている。そして第一紙片１及び第三紙片３の外側には切取線７（必ずしも表示される必要はなく切り取り用のミシン目等に代えても構わない）を介してマージナル孔８が設けられたマージナル部分９が連接されている。なお第一紙片１は他の２紙片に比較しておおよそ半分以下の幅になっている。そして各紙片の表裏面には各種情報が表示されていてもよいのであるが、本実施例では同図（Ｂ）に示すように、単位シートｔの第三紙片３裏面には郵便切手欄と郵便番号欄が記載されており、さらに場合によってはこの面に受取人の住所氏名等が印字、印刷されている。
【００１３】  既述のように構成された長尺状シートＳは、例えば天地方向の切り取り用のミシン目６で蛇腹状に折り畳まれブロック状態で、図７に示すように、例えば圧着葉書加工工程の最上流に配置される。なお、前記長尺状シートＳは、必ずしもブロック状態に折り畳まれて設置される必要はなく、例えばロール状に巻き取っておいて順次回転させながら繰り出すようにしてもよい。その際前記切り取り用のミシン目６は省略することができる。
【００１４】  なお前記折り込み装置Ｘへ送り出されるまでに、図示されないインタースタッカ等により、第一紙片１の外側のマージナル部分９は切り落とされる。その後図７に示すように、折り込み装置Ｘにより図２に示す如く断面Ｚ字状に折り畳まれながら給紙ローラ１１へ引き上げられて、ほぼ水平に向きを変え右側に配置されているピントラクタ１２により図示されない下流の圧着葉書加工工程へ牽引され送り出されるのである。
【００１５】  前記折り込み装置Ｘから給紙ローラ１１の間には、例えば図３、５、７、８及び９に示すように、折り込まれる長尺状シートＳに強制的に折りくせを付けながら給紙ローラ１１へ送り出す一対のサポートローラ１３ａ、１３ｂが設けられる（一対のガイドバーが折り畳まれて通過する長尺シートＳを両側からカニの鋏で挟み込むようにする構造もある）。通常前記一対のサポートローラ１３ａ、１３ｂによりほぼ同じ幅の紙片が断面Ｚ字状に折り畳まれる場合には効率よく折り込めるのであるが、図８、９に示すように、最上面の折り返し紙片の幅が狭い場合、図中の矢印Ｙに示すようにサポートローラ１３ａ、１３ｂでの押さえ込み幅が少ないため、どうしても紙片の反発力により前記第一紙片１が前記サポートローラ１３ａ、１３ｂの上流側で立ち上がる傾向にある。
【００１６】  前記立ち上がった幅狭の第一紙片１が首尾よく一対のサポートローラ１３ａ、１３ｂ間で折り畳まれて通過すればよいが、各紙片が樹脂フィルムでラミネートされていたり、長尺状シートＳの斤量が大きくて各紙片が分厚い場合に、折り込みに対して強い反発力が発生し、前記一対のサポートローラ１３ａ、１３ｂ間を通過するに際して、折りずれを起こしたりひどい場合には幅狭の第一紙片１が立ち上がったまま通過しようとし、前記一対のサポートローラ１３ａ、１３ｂ間でジャミングを起こしたりする。
【００１７】  本発明ではそのような事故を未然に防ぐために、図３に示すように一対のサポートローラ１３ａ、１３ｂの上流側にバックアップガイドＧが設けられるのである。前記バックアップガイドＧは、一対のサポートローラ１３ａ、１３ｂの上流側で第三紙片３がほぼ垂直状態で前記一対のサポートローラ１３ａ、１３ｂ（或いは給紙ローラ１１）を通過することができる位置に設けられている。このようにすることにより、幅狭の第一紙片１が第二紙片２側に無理なく折り畳まれた状態に押さえ込まれて、そしてそれにより一対のサポートローラ１３ａ、１３ｂ間を各紙片同士がストレスなく通過できるようになるのである。
【００１８】  上記の手順で製造された圧着葉書は、図６に示すように断面がＺ字状に折り畳まれており、各紙片の対向面同士が公知の疑似接着手段により剥離可能（或いは任意の対向面同士を剥離不能）に接着している。そして前記圧着葉書の受取人は前記疑似接着している対向面同士を開封して内部の情報を視認することができるのである。
【００１９】  なお、図３で使用されているバックアップガイドＧは、図４に示すように一枚のプレートを使用しているが横方向や縦方向（或いは斜め方向等）に複数枚に分割されていても構わない。
また、バックアップガイドＧの形状は前記プレート等の板状に限らない。例えば図５に示すように、円柱形の回転体（図示していないが複数の回転体を配置しても構わない）を前記プレートに代えて、通過する長尺状シートＳをバックアップしても構わない。この場合回転体のため長尺状シートＳの流れ方向に合わせて回転するため余分なバックテンションの発生を回避することが可能である。勿論前記プレートの場合、プレート表面にフッ素処理等の離型処理を施すことにより接触する長尺シートＳの抵抗を軽減したり、或いは逆にすべりが良すぎる場合に抵抗を増やすための処理（プレートに複数の横溝を形成して摩擦を増やす等）を施しても構わない。
さらに、前記回転体とプレートの両者を併用して使用しても構わない。
【符号の説明】
【００２０】  Ｓ  長尺状シート
Ｇ  バックアップガイド
ｔ  単位シート
Ｘ  折り込み装置
１、２、３  紙片
４、５  折り用のミシン目
６、７  切り取り用のミシン目
８  マージナル孔
９  マージナル部分
１１  給紙ローラ
１２  ピントラクタ
１３ａ、１３ｂ  一対のサポートローラ
【図１】
2015020904.tif 000003
【図２】
2015020904.tif 000004
【図３】
2015020904.tif 000005
【図４】
2015020904.tif 000006
【図５】
2015020904.tif 000007
【図６】
2015020904.tif 000008
【図７】
2015020904.tif 000009
【図８】
2015020904.tif 000010
【図９】
2015020904.tif 000011